(57)【要約】【課題】ＤＲＭフリーのデジタルコンテンツとともにイベントのチケット情報を端末に配信しても、チケット情報を管理することができるコンテンツ利用システムを提供する。【解決手段】携帯端末４に複合コンテンツ２１を直接又は間接的に配信するコンテンツサーバー２と、情報コンテンツの利用に必要なライセンス３１を直接又は間接的に配信するライセンスサーバー３と、携帯端末４との通信手段と、複合コンテンツ２１とライセンス３１の両方が揃っているか否かを判断する判断手段と、を有し、当該判断手段により、複合コンテンツ２１とライセンス３１の両方が携帯端末４に揃って保存されていると判断されたとき、通信手段を通じて携帯端末４による情報コンテンツ２１ｂの利用を許可するコンテンツコントローラー５と、を備えることを特徴とするコンテンツ利用システム。【選択図】図１Ａ
2014120027.tif 000002
【特許請求の範囲】
【請求項１】
利用及び複製が無制限にできるＤＲＭフリーのデジタルコンテンツと利用及び複製が制限された情報コンテンツとが一体化された複合コンテンツを携帯端末に配信する配信サービスに用いられるコンテンツ利用システムであって、
前記携帯端末に複合コンテンツを直接又は間接的に配信するコンテンツサーバーと、
前記情報コンテンツの利用に必要なライセンスを、前記携帯端末のうち前記配信サービスに利用登録された携帯端末ごとに直接又は間接的に配信するライセンスサーバーと、
前記携帯端末との通信手段と、前記複合コンテンツと前記ライセンスの両方が揃っているか否かを判断する判断手段と、を有し、当該判断手段により、前記複合コンテンツと前記ライセンスの両方が前記携帯端末に揃って保存されていると判断されたとき、前記通信手段を通じて前記携帯端末による前記情報コンテンツの利用を許可するコンテンツコントローラーと、
を備えることを特徴とするコンテンツ利用システム。
【請求項２】
請求項１に記載のコンテンツ利用システムであって、
前記通信手段は、前記携帯端末及び前記コンテンツ利用管理端末にそれぞれ備えられた近距離無線通信装置で構成されたことを特徴とするコンテンツ利用システム。
【請求項３】
請求項１又は２に記載のコンテンツ利用システムであって、
前記携帯端末には、前記情報コンテンツの利用状況を記録する利用記録手段を備えることを特徴とするコンテンツ利用システム。
【請求項４】
請求項１から３までのいずれか１項に記載のコンテンツ利用システムであって、
前記情報コンテンツは、前記デジタルコンテンツに関連するイベントの入場チケット及び前記デジタルコンテンツに関連する商品の電子クーポンのうちの両方又はいずれかであることを特徴とするコンテンツ利用システム。
【請求項５】
請求項１から４までのいずれか１項に記載のコンテンツ利用システムであって、
前記コンテンツサーバーから前記複合コンテンツを直接的に受信するとともに前記ライセンスサーバーから前記ライセンスを直接的に受信するクライアント端末をさらに備え、
前記クライアント端末は、前記コンテンツサーバーから受信した前記複合コンテンツ、及び、前記ライセンスサーバーから受信した前記ライセンスのうち、少なくとも複合コンテンツを、該クライアント端末に接続された一又は複数の携帯端末に複製する複製手段を備え、
前記ライセンスサーバーは、前記複合コンテンツだけが保存されている携帯端末が前記配信サービスに利用登録されたとき、該携帯端末に保存された複合コンテンツに対応するライセンスを直接的に配信するライセンス追加手段
を備えることを特徴とするコンテンツ利用システム。
【請求項６】
請求項５に記載のコンテンツ利用システムであって、
前記クライアント端末は、前記複合コンテンツを複製した携帯端末を記録して管理する複製記録手段を備えることを特徴とするコンテンツ利用システム。
【発明の詳細な説明】
【技術分野】
【０００１】
本発明は、コンテンツ利用システムに関する。
【背景技術】
【０００２】
特許文献１には、携帯端末などを用いてオンラインでチケットを予約又は購入でき、このチケットによってイベント会場に入場できるとともに、イベントに関連する暗号化されたデジタルコンテンツ（例えば、音楽・動画等のコンテンツ）を無料で配信するチケット管理システムが開示されている。この発明により、携帯端末には、イベントのチケット情報に付随してイベントに関連する暗号化したデジタルコンテンツが配信される。これとともに、オンラインでチケットを予約購入した人だけに、当該デジタルコンテンツを複号するライセンス鍵を配信して、そのチケットに関連したデジタルコンテンツの視聴を可能とすることができる。
【０００３】
また、デジタルコンテンツと付随して配信されるものは、イベントのチケット情報にとらわれず、例えば、デジタルコンテンツとともに、デジタルコンテンツに関連する商品の電子クーポンを配信することも考えられる。
【０００４】
ここで、一般的に、デジタルコンテンツは、デジタル技術が本質的に持っている複製の容易性により、品質の劣化なしにデジタルコンテンツを無制限に複製することができる。従って、デジタルコンテンツの著作権者の許諾なしに複製が行われ複製物が流通するような不正利用を防ぐ「デジタル著作権管理（Ｄｅｇｉｔａｌ  Ｒｉｇｈｔ  Ｍａｎａｇｅｍｅｎｔ、以下ＤＲＭとする。）」を必要としていた。このようなＤＲＭによって、デジタルコンテンツのユーザーは、デジタルコンテンツを購入した端末でデジタルコンテンツを視聴することはできるが、デジタルコンテンツを購入した端末以外の端末にデジタルコンテンツを複製する場合は、複製回数等に制限がかけられていた。よって、利便性が悪いものであった。
【０００５】
ところで、近年、ＤＲＭによってデジタルコンテンツを制限するのではなく、デジタルコンテンツに対して暗号化せず、自由にデジタルコンテンツを利用・複製することができるＤＲＭフリーの技術が確立されつつある（例えば、非特許文献１）。これにより、ユーザーは、端末を用いてＤＲＭフリーのデジタルコンテンツを一度購入することにより、デジタルコンテンツの購入時の端末以外の端末に制限無くデジタルコンテンツを複製することができ、デジタルコンテンツを購入した端末以外の端末においてもデジタルコンテンツの視聴ができるため、デジタルコンテンツの取り扱いの利便性が向上することとなった。
【先行技術文献】
【特許文献】
【０００６】
【特許文献１】特開２００３−２２８６８４号公報
【非特許文献】
【０００７】
【非特許文献１】「〜もっと自由に幅広いシーンで音楽を楽しむ！〜 『music.jp』で業界最高音質の“DRMフリー”の楽曲を配信（2012年3月21日のニュースリリース）」、株式会社エムティーアイのホームページ  (http://www.mti.co.jp/?P=9090)
【発明の概要】
【発明が解決しようとする課題】
【０００８】
前述したＤＲＭフリー技術を、特許文献１に開示されたチケット管理システムに適用すると、携帯端末に配信されるＤＲＭフリーのチケット情報又は電子クーポン等（以後、情報コンテンツとする。）及びＤＲＭフリーのデジタルコンテンツは、デジタルコンテンツに対して無制限に他の端末に複製することができるとともに、情報コンテンツに対しても無制限に他の端末に複製することができる。これにより、情報コンテンツの安全な取引が阻害される虞があった。
【０００９】
また、上記の課題を解決するために、情報コンテンツとデジタルコンテンツとを個別に配信することが考えられる。つまり、デジタルコンテンツに対しては、ＤＲＭフリーとして無制限に他の端末への複製を可能として配信し、情報コンテンツに対しては、他の端末への複製を制限するように配信する。しかし、デジタルコンテンツ及び情報コンテンツが個別に配信された端末は、情報コンテンツとデジタルコンテンツを個別に管理する必要があり、情報コンテンツとデジタルコンテンツとを一体として管理する場合と比較して、その取り扱いが不便であった。
【００１０】
本発明は、かかる点に鑑みてなされたものであり、その目的とするところは、ＤＲＭフリーのデジタルコンテンツとともにチケット情報又は電子クーポンといった情報コンテンツを携帯端末に配信しても、携帯端末による情報コンテンツの利用を管理することができるコンテンツ利用システムを提供することにある。
【課題を解決するための手段】
【００１１】
上記目的を達するために、本発明は次のとおりの構成としている。
【００１２】
本発明に係るコンテンツ利用システムは、利用及び複製が無制限にできるＤＲＭフリーのデジタルコンテンツと利用及び複製が制限された情報コンテンツとが一体化された複合コンテンツを携帯端末に配信する配信サービスに用いられるコンテンツ利用システムであって、前記携帯端末に複合コンテンツを直接又は間接的に配信するコンテンツサーバーと、前記情報コンテンツの利用に必要なライセンスを、前記携帯端末のうち前記配信サービスに利用登録された携帯端末ごとに直接又は間接的に配信するライセンスサーバーと、前記携帯端末との通信手段と、前記複合コンテンツと前記ライセンスの両方が揃っているか否かを判断する判断手段と、を有し、当該判断手段により、前記複合コンテンツと前記ライセンスの両方が前記携帯端末に揃って保存されていると判断されたとき、前記通信手段を通じて前記携帯端末による前記情報コンテンツの利用を許可するコンテンツコントローラーと、を備えることを特徴とする。
【００１３】
このような特定事項により、複合コンテンツに含まれる情報コンテンツを携帯端末で利用及び複製するには、複合コンテンツに加えてライセンスを必要とし、このライセンスを携帯端末が受信するには、配信サービスの利用登録を必要とする。これにより、情報コンテンツは利用登録を有する携帯端末のみ利用及び複製可能となり、情報コンテンツの利用を制限することができる。よって、ＤＲＭフリーのデジタルコンテンツとともに情報コンテンツを携帯端末に配信しても、携帯端末による情報コンテンツの利用を管理することができる。
【００１４】
上記に係るコンテンツ利用システムであって、前記通信手段は、前記携帯端末及び前記コンテンツコントローラーにそれぞれ備えられた近距離無線通信装置で構成されたこととする。
【００１５】
このような特定事項により、携帯端末とコンテンツコントローラーとが近距離無線通信装置で通信される。つまり、携帯端末とコンテンツコントローラーとが非接触で通信するため、情報コンテンツの利用がより簡易にできる。
【００１６】
上記に係るコンテンツ利用システムであって、前記携帯端末には、前記情報コンテンツの利用状況を記録する利用記録手段を備えることとする。
【００１７】
このような特定事項により、携帯端末に保存された情報コンテンツの利用回数等の情報を記録する利用記録手段が携帯端末に備えられているため、情報コンテンツの利用状況を管理することができる。
【００１８】
上記に係るコンテンツ利用システムであって、前記情報コンテンツは、前記デジタルコンテンツに関連するイベントの入場チケット及び前記デジタルコンテンツに関連する商品の電子クーポンのうちの両方又はいずれかであることとする。
【００１９】
このような特定事項により、情報コンテンツは、デジタルコンテンツに関連するものであるため、デジタルコンテンツの付加価値が上がり、デジタルコンテンツの購買意欲を向上させることができる。
【００２０】
上記に係るコンテンツ利用システムであって、前記コンテンツサーバーから前記複合コンテンツを直接的に受信するとともに前記ライセンスサーバーから前記ライセンスを直接的に受信するクライアント端末をさらに備え、前記クライアント端末は、前記コンテンツサーバーから受信した前記複合コンテンツ、及び、前記ライセンスサーバーから受信した前記ライセンスのうち、少なくとも複合コンテンツを、該クライアント端末に接続された一又は複数の携帯端末に複製する複製手段を備え、前記ライセンスサーバーは、前記複合コンテンツだけが保存されている携帯端末が前記配信サービスに利用登録されたとき、該携帯端末に保存された複合コンテンツに対応するライセンスを直接的に配信するライセンス追加手段を備えることとする。
【００２１】
このような特定事項により、複合コンテンツ及びライセンスは、直接的にクライアント端末に配信されることとなる。そして、クライアント端末は、携帯端末と接続し、少なくとも複合コンテンツを携帯端末に複製する複製手段を有するため、携帯端末には、少なくとも複合コンテンツが保存される。さらに、携帯端末にライセンスが保存されていなくとも、その携帯端末が配信サービスに利用登録されていれば、ライセンスサーバーのライセンス配信手段によって、当該携帯端末にライセンスが送信されるため、配信サービスに利用登録がされている携帯端末のみで情報コンテンツを利用することができる。よって、情報コンテンツの利用を管理することができる。
【００２２】
上記に係るコンテンツ利用システムであって、前記クライアント端末は、前記複合コンテンツを複製した携帯端末を記録して管理する複製記録手段を備えることとする。
【００２３】
このような特定事項により、クライアント端末が備える複製記録手段によって、複合コンテンツ及びライセンスを複製した携帯端末が記録されるため、クライアント端末によって情報コンテンツの複製状況を管理することができる。
【発明の効果】
【００２４】
本発明によれば、ＤＲＭフリーのデジタルコンテンツとともにイベントのチケット情報を端末に配信しても、チケット情報を管理することができるコンテンツ利用システムを提供することができる。
【図面の簡単な説明】
【００２５】
【図１Ａ】本発明に係るコンテンツ利用システムの構成の第一実施形態を示す構成図である。
【図１Ｂ】図１Ａの複合コンテンツ及びライセンスの変形例である。
【図２】本発明に係るコンテンツ利用システムに係る携帯端末のハードウェアブロック図である。
【図３】本発明に係るコンテンツ利用システムに係る携帯端末のソフトウェアブロック図である。
【図４】図１Ａに示すコンテンツ利用システムにおいて、情報コンテンツの利用が可能と判断される場合の携帯端末とコンテンツコントローラーとの通信状況を示す模式図である。
【図５】図１Ａに示すコンテンツ利用システムにおいて、情報コンテンツの利用ができないと判断される場合の携帯端末とコンテンツコントローラーとの通信状況を示す模式図である。
【図６】図１Ａに示す第一実施形態のコンテンツ利用システムのシステムフローである。
【図７】本発明に係るコンテンツ利用システムの構成の第二実施形態を示す構成図である。
【図８】図７に示すコンテンツ利用システムにおいて、情報コンテンツの利用が可能と判断される場合の携帯端末とコンテンツコントローラーとの通信状況を示す模式図である。
【図９】図７に示す第二実施形態のコンテンツ利用システムのシステムフローである。
【発明を実施するための形態】
【００２６】
○第一実施形態について
本発明の第一実施形態について図１Ａ及び図１Ｂを参照しながら説明する。図１Ａは、本発明に係るコンテンツ利用システムの構成の第一実施形態を示す構成図、図１Ｂは、図１Ａの複合コンテンツ及びライセンスの変形例である。
【００２７】
本発明に係るコンテンツ利用システムは、利用及び複製が無制限にできるＤＲＭフリーのデジタルコンテンツ２１ａと利用及び複製が制限された情報コンテンツ２１ｂとが一体化された複合コンテンツ２１を携帯端末４に配信する配信サービスに用いられるコンテンツ利用システムであって、コンテンツサーバー２と、ライセンスサーバー３と、携帯端末４と、コンテンツコントローラー５と、を備えることを特徴とする。
【００２８】
以下、本発明のコンテンツ利用システムを構成するコンテンツサーバー２、ライセンスサーバー３、携帯端末４、コンテンツコントローラー５を説明した後に、そのコンテンツ利用システムの動作について説明する。
【００２９】
[コンテンツサーバーの説明]
本発明に係る実施形態のコンテンツサーバー２は、利用及び複製が無制限にできるＤＲＭフリーのデジタルコンテンツ２１ａと利用及び複製が制限された情報コンテンツ２１ｂとが一体化された複合コンテンツ２１を直接又は間接的に携帯端末４に配信するものである（図１Ａ参照）。
【００３０】
デジタルコンテンツ２１ａは、音楽データ本体２１１と、音楽データのタイトル・作者・演奏者、及び、デジタルコンテンツ２１ａを携帯端末４に配信した日付・時刻等の情報、購入履歴を記録するメタデータ２１２を含むものである。ここで、「ＤＲＭフリー」とは、デジタルコンテンツに対して暗号化せず、自由にデジタルコンテンツを利用・複製することができるものである。つまり、携帯端末４にデジタルコンテンツ２１ａが配信された場合、情報コンテンツ２１ｂを利用するライセンス３１が無くても、携帯端末４でデジタルコンテンツ２１ａの利用・複製をすることができる。
【００３１】
なお、デジタルコンテンツは、音楽データ本体２１１に限らず、映像データ、カラオケデータ、ゲームデータ、電子ブックデータなどのいずれかのコンテンツ、又は、これらのコンテンツを複数含むものであっても構わない。
【００３２】
情報コンテンツ２１ｂは、デジタルコンテンツ２１ａに関連するイベントの入場チケット及びデジタルコンテンツ２１ａに関連する商品の電子クーポンのうちの両方又はいずれかである。情報コンテンツ２１ｂは、利用及び複製が制限されており、当該情報コンテンツ２１ｂの利用には、後述するライセンス３１を必要とする。そのため、情報コンテンツ２１ｂには、ライセンス３１と関連付けられるＫｅｙＩＤ情報が書き込まれている。これにより、情報コンテンツ２１ｂに書き込まれたＫｅｙＩＤ情報と、後述するライセンス３１のＫｅｙＩＤ情報とが一致するときに、当該情報コンテンツ２１ｂが携帯端末４で利用可能な状態となる。
【００３３】
なお、情報コンテンツ２１ｂは、図１Ｂに示すように、複数（例えば、２以上のイベントの入場チケット等）であっても構わない。この場合、情報コンテンツ２１ｂには、後述する個別ライセンス３１ｂと関連付けられるＫｅｙＩＤ情報と、後述するルートライセンス３１ａと関連付けられるＫｅｙＳｅｅｄ情報とが書き込まれる（図１Ｂ参照）。
【００３４】
[ライセンスサーバーの説明]
本発明に係る実施形態のライセンスサーバー３は、ライセンス３１を携帯端末４に直接又は間接的に配信するものである（図１Ａ参照）。
【００３５】
ライセンス３１は、利用及び複製が制限された情報コンテンツ２１ｂの利用に必要なものであり、情報コンテンツ２１ｂの配信サービスに加入し、さらに、携帯端末４ごとの利用登録を必要とし、当該利用登録をした携帯端末４に配信されるものである。つまり、ライセンス３１が携帯端末４に配信されるには、情報コンテンツ２１ｂの配信サービスの加入が前提となり、情報コンテンツ２１ｂを利用する携帯端末４を特定する必要がある。
【００３６】
このライセンス３１には、前述した情報コンテンツ２１ｂと関連付けられるＫｅｙＩＤ情報と、情報コンテンツ２１ｂの有効期限の情報が書き込まれている。
【００３７】
なお、前述した情報コンテンツ２１ｂが複数存在する場合は、個別ライセンス３１ｂ及びルートライセンス３１ａから構成されるライセンス３１がライセンスサーバー３から配信される（図１Ｂ参照）。
【００３８】
個別ライセンス３１ｂは、複数の情報コンテンツ２１ｂに対応する数だけ存在し、情報コンテンツ２１ｂと関連付けられるＫｅｙＩＤ情報及び情報コンテンツ２１ｂの有効期限の情報が書き込まれている。
【００３９】
ルートライセンス３１ａは、複数の個別ライセンス３１ｂを管理するものであって、情報コンテンツ２１ｂと関連付けられるＫｅｙＳｅｅｄ情報及び情報コンテンツ２１ｂの有効期限の情報が書き込まれている。
【００４０】
[携帯端末の説明]
本発明の実施形態に係る携帯端末４について図２を参照しながら説明する。図２は、本発明に係るコンテンツ利用システムに係る携帯端末のハードウェアブロック図である。
【００４１】
本発明に係る実施形態の携帯端末４は、コンテンツサーバー２から配信される複合コンテンツ２１、及び、ライセンスサーバー３から配信されるライセンス３１を直接又は間接的に受信して保存するものであって、ＣＰＵ（Ｃｅｎｔｒａｌ Ｐｒｏｃｅｓｓｉｎｇ Ｕｎｉｔ）４１と、モデム４２と、入力装置４３と、記録装置４４と、表示装置４５と、メモリ４６と、近距離無線通信装置４７と、を備えている（図２参照）。
【００４２】
携帯端末４は、携帯電話やＰＤＡ（Ｐｅｒｓｏｎａｌ  Ｄｉｇｉｔａｌ  Ａｓｓｉｓｔａｎｃｅ）を想定する。
【００４３】
ＣＰＵ４１は、後述するソフトウェアブロックに示した動作を実行するために、用いられるものである。
【００４４】
モデム４２は、当該携帯端末４とコンテンツサーバー２及びライセンスサーバー３とをネットワーク接続するために用いられるものである。
【００４５】
入力装置４３は、例えば、キーボードであり、携帯端末４に、所望の複合コンテンツ２１を受信する際の入力を受け付ける際に用いられるものである。
【００４６】
記録装置４４は、コンテンツサーバー２及びライセンスサーバー３から受信した複合コンテンツ２１及びライセンス３１の保存に用いられるものである。また、情報コンテンツ２１ｂを携帯端末４で利用した際に、情報コンテンツ２１ｂの利用状況（例えば情報コンテンツ２１ｂの利用回数、利用日時等）を記録する記録手段を備えている。
【００４７】
表示装置４５は、例えば、液晶ディスプレイであり、複合コンテンツ２１内のデジタルコンテンツ２１ａや、情報コンテンツ２１ｂの表示・再生等を行うものである。
【００４８】
メモリ４６は、ＣＰＵ４１が動作するためのワークメモリとは別に、一時的に複合コンテンツ２１及びライセンス３１を保存するものである。
【００４９】
近距離無線通信装置４７は、後述するコンテンツコントローラー５と複合コンテンツ２１及びライセンス３１を通信するものである。
【００５０】
[コンテンツコントローラーの説明]
本発明に係る実施形態のコンテンツコントローラー５は、携帯端末４との通信手段と、複合コンテンツ２１とライセンス３１の両方が揃っているか否かを判断する判断手段と、を有し、判断手段により、複合コンテンツ２１とライセンス３１の両方が携帯端末４に保存されていると判断されたとき、通信手段を通じて携帯端末４による情報コンテンツ２１ｂの利用を許可するものである。
【００５１】
携帯端末４との通信手段として、コンテンツコントローラー５は、近距離無線通信装置４７を備えている。
【００５２】
[第一実施形態のコンテンツ利用システムの動作]
本実施形態の動作について、図３〜図６を参照しながら説明する。
【００５３】
図３は、本発明に係るコンテンツ利用システムに係る携帯端末のソフトウェアブロック図、図４は、図１Ａに示すコンテンツ利用システムにおいて、情報コンテンツの利用が可能と判断される場合の携帯端末とコンテンツコントローラーとの通信状況を示す模式図、図５は、図１Ａに示すコンテンツ利用システムにおいて、情報コンテンツの利用ができないと判断される場合の携帯端末とコンテンツコントローラーとの通信状況を示す模式図、図６は、図１Ａに示す第一実施形態のコンテンツ利用システムのシステムフローである。
【００５４】
まず、携帯端末４のソフトウェアブロックの構成について説明する。本発明に係る実施形態のソフトウェアブロックは、外部環境、ハードウェア、ＯＳ、ライブラリ、アプリケーションとに分かれている。
【００５５】
外部環境は、コンテンツサーバー２、ライセンスサーバー３、コンテンツコントローラー５が含まれる。これらの他に、第二実施形態で説明するクライアント端末７が含まれていてもよい。
【００５６】
ハードウェアは、上述した入力装置４３、表示装置４５、複合コンテンツ２１及びライセンス３１を保存する記録装置４４、モデム４２、近距離無線通信装置４７とが含まれる。
【００５７】
ＯＳは、ハードウェアを制御するドライバ４０１と、後述するライブラリを制御するシステム４０２を有する。
【００５８】
ライブラリは、後述するアプリケーションとＯＳとを仲介するものであり、ＩＯライブラリ４０３と、表示ライブラリ４０４と、データ入出力ライブラリ４０５と、ＤＲＭライブラリ４０６と、通信ライブラリ４０７とを有する。
【００５９】
表示ライブラリ４０４は、後述するデジタルコンテンツ再生アプリケーション４０８と表示装置４５とを仲介してデジタルコンテンツ２１ａを表示装置４５に表示させる際に用いられるものである。
【００６０】
データ入出力ライブラリ４０５は、記録装置４４に保存された複合コンテンツ２１を後述するデジタルコンテンツ再生アプリケーション４０８に出力する際や、デジタルコンテンツ再生アプリケーション４０８から複合コンテンツ２１を直接、記録装置４４に保存する際に用いられるものである。また、記録装置４４とＤＲＭライブラリ４０６との仲介にも用いられるものである。
【００６１】
ＤＲＭライブラリ４０６は、データ入出力ライブラリ４０５と、後述する情報コンテンツ利用アプリケーション４０９との仲介に用いられるものである。
【００６２】
通信ライブラリ４０７は、モデム４２を介して携帯端末４が受信した複合コンテンツ２１及びライセンス３１のうち、複合コンテンツ２１をデジタルコンテンツ再生アプリケーション４０８に、ライセンス３１を情報コンテンツ利用アプリケーション４０９にそれぞれ送信する際に用いられるものである。さらに、情報コンテンツ利用アプリケーション４０９から複合コンテンツ２１及びライセンス３１を受信し、近距離無線通信装置４７に複合コンテンツ２１及びライセンス３１を送信する際にも用いられるものである。
【００６３】
なお、ＩＯライブラリ４０３は、第二実施形態で説明するクライアント端末７とデジタルコンテンツ再生アプリケーション４０８を仲介するためのものであるが、第一実施形態では利用しない。
【００６４】
アプリケーションは、デジタルコンテンツ再生アプリケーション４０８と、情報コンテンツ利用アプリケーション４０９とを備えている。
【００６５】
デジタルコンテンツ再生アプリケーション４０８は、複合コンテンツ２１内のデジタルコンテンツ２１ａ（例えば、音楽データ、映像データ）を再生する再生プレーヤーである。さらに、当該デジタルコンテンツ２１ａを記録装置４４に保存する際に用いられるものである。
【００６６】
情報コンテンツ利用アプリケーション４０９は、情報コンテンツ２１ｂ及びライセンス３１内に書き込まれたＫｅｙＩＤ情報を参照して、各ＫｅｙＩＤ情報の一致するか否かを判断するとともに、ライセンス３１の有効期限が期限内であるか否かの判断を行うものであって、全ての判断が適切である場合に、通信ライブラリ４０７を介して近距離無線通信装置４７に情報コンテンツ２１ｂ及びライセンス３１を送信するものである。なお、複数の情報コンテンツ２１ｂを取り扱う場合は、情報コンテンツ２１ｂ及び個別ライセンス３１ｂに書き込まれたＫｅｙＩＤ情報と、情報コンテンツ２１ｂ及びルートライセンス３１ａに書き込まれたＫｅｙＳｅｅｄ情報とを参照して、ＫｅｙＩＤ情報の一致及びＫｅｙＳｅｅｄ情報の一致を判断し、かつ、個別ライセンス３１ｂ及びルートライセンス３１ａの有効期限を判断し、両判断が適切である場合に、通信ライブラリ４０７を介して近距離無線通信装置４７に情報コンテンツ２１ｂ及びライセンス３１（個別ライセンス３１ｂ及びルートライセンス３１ａ）を送信するものである。
【００６７】
次に、このソフトウェアブロックの動作及びコンテンツ利用システムのシステムフローについて図３〜図６を参照しながら説明する。本実施形態の動作は、第一に携帯端末がコンテンツサーバー及びライセンスサーバーから複合コンテンツ及びライセンスを取得する動作を行い、第二に携帯端末が情報コンテンツを利用する動作を行う。よって、各動作について、以下説明する。
【００６８】
・携帯端末が複合コンテンツ及びライセンスを取得する動作の説明
まず、携帯端末４の所有者は、情報コンテンツ２１ｂの配信サービスの加入を行い、当該携帯端末４において情報コンテンツ２１ｂを利用する利用登録を行う。その後、当該携帯端末４を用いて情報コンテンツ２１ｂ及びデジタルコンテンツ２１ａを含む複合コンテンツ２１の配信を要求する（図６のＳ１参照）。
【００６９】
複合コンテンツ２１は、コンテンツサーバー２から携帯端末４のモデム４２を介して配信される（図３及び図６のＳ２参照）。配信された複合コンテンツ２１は通信ライブラリ４０７を介してデジタルコンテンツ再生アプリケーション４０８に送られ、表示ライブラリ４０４を介して表示装置４５によって表示される。さらに、複合コンテンツ２１は、デジタルコンテンツ再生アプリケーション４０８からデータ入出力ライブラリ４０５を介して記録装置４４に保存される（図３及び図６のＳ３参照）。
【００７０】
次に、携帯端末４によってライセンス３１の要求を行う（図６のＳ４参照）。ライセンス３１は、当該携帯端末４が情報コンテンツ２１ｂの配信サービスに加入している場合に、ライセンスサーバー３から携帯端末４のモデム４２を介して配信される（図６のＳ５参照）。配信されたライセンス３１は、通信ライブラリ４０７を介して情報コンテンツ利用アプリケーション４０９に送られ、情報コンテンツ利用アプリケーション４０９からＤＲＭライブラリ４０６を介してライセンスファイルが作成されて記録装置４４に保存される（図６のＳ６参照）。
【００７１】
以上の動作によって、携帯端末４に複合コンテンツ２１及びライセンス３１が保存される。
【００７２】
・携帯端末が情報コンテンツを利用する動作の説明
情報コンテンツ２１ｂを利用する場合、記録装置４４内に有する情報コンテンツ２１ｂ及びライセンス３１は、データ入出力ライブラリ４０５を経由し、ＤＲＭライブラリ４０６に送られ、ＤＲＭライブラリ４０６を介して、情報コンテンツ利用アプリケーション４０９に送信される（図３参照）。情報コンテンツ利用アプリケーション４０９では、情報コンテンツ２１ｂ及びライセンス３１のＫｅｙＩＤ情報を参照する。情報コンテンツ２１ｂのＫｅｙＩＤ情報とライセンス３１のＫｅｙＩＤ情報とが一致すると、情報コンテンツ２１ｂが利用可能な状態となる。その後、情報コンテンツ２１ｂ及びライセンス３１が通信ライブラリ４０７を介して近距離無線通信装置４７に送られる。そして、当該情報コンテンツ２１ｂ及びライセンス３１が保存された携帯端末４とコンテンツコントローラー５と通信することとなる（図６のＳ７参照）。
【００７３】
コンテンツコントローラー５には、近距離無線通信装置４７が備えられているため、この近距離無線通信装置４７によってコンテンツコントローラー５と携帯端末４とが通信する。コンテンツコントローラー５の判断手段によって、複合コンテンツ２１とライセンス３１の両方が携帯端末４に保存されていると判断し、通信手段を通じて携帯端末４による情報コンテンツ２１ｂの利用を許可する（図４及び図６のＳ８でＯＫの場合を参照）。
【００７４】
当該情報コンテンツ２１ｂの利用が許可されると、携帯端末４に備えられた利用記録手段によって、情報コンテンツ２１ｂの利用回数、利用日時等の情報が記録される（図６のＳ９参照）。
【００７５】
ところで、携帯端末４が情報コンテンツ２１ｂの配信サービスに加入していない場合や、ライセンス３１の有効期限が過ぎている場合は、情報コンテンツ利用アプリケーション４０９では、情報コンテンツ２１ｂ及びライセンス３１内のＫｅｙＩＤ情報を参照することができないと判断されるか、情報コンテンツ２１ｂの有効期限が過ぎていると判断される。そのため、情報コンテンツ利用アプリケーション４０９では、通信ライブラリ４０７を介して近距離無線通信装置４７にライセンス３１は配信されずに、複合コンテンツ２１のみが配信されることとなる。
【００７６】
この状態で携帯端末４とコンテンツコントローラー５を通信させると、コンテンツコントローラー５は、判断手段により複合コンテンツ２１とライセンス３１の両方が揃っていないと判断するため（図６のＳ８でＮＧの場合参照）、通信手段を通じて携帯端末４による情報コンテンツ２１ｂの利用が許可されないこととなる（図５及び図６のＳ１０参照）。
【００７７】
以上、説明したとおり、本実施形態では、ＤＲＭフリーのデジタルコンテンツ２１ａとともに情報コンテンツ２１ｂを携帯端末４に配信しても、携帯端末４による情報コンテンツ２１ｂの利用を管理することができる。
【００７８】
[実施例１]
次に、本実施形態の実施例１について説明する。
【００７９】
本実施例では、デジタルコンテンツ２１ａを音楽データ、情報コンテンツ２１ｂを当該音楽データに関連するイベントの入場チケット、コンテンツコントローラー５をイベント会場の改札機とする。
【００８０】
これにより、携帯端末４には、音楽データと入場チケットが一体化された複合コンテンツ２１及び、当該入場チケットの利用に必要なライセンス３１が保存されることとなり、
当該携帯端末４とイベント会場の改札機とを通信させ、入場チケット及びライセンスの両方が携帯端末４に揃って保存されているときに、改札機が入場を許可することとなる。
【００８１】
[実施例２]
次に、本実施形態の実施例２について説明する。
【００８２】
本実施例では、デジタルコンテンツ２１ａを音楽データ、情報コンテンツ２１ｂを当該音楽データに関連する電子クーポン、コンテンツコントローラー５を店舗で使用される電子クーポン読取装置とする。
【００８３】
これにより、携帯端末４には、音楽データと電子クーポンが一体化された複合コンテンツ２１及び、当該電子クーポンの利用に必要なライセンス３１が保存されることとなり、
当該携帯端末４と店舗の電子クーポン読取装置とを通信させ、電子クーポン及びライセンスの両方が携帯端末４に揃って保存されているときに、電子クーポン読取装置が電子クーポンの利用を許可することとなる。
○第二実施形態について
次に、本発明の第二実施形態について図７を参照しながら説明する。図７は、本発明に係るコンテンツ利用システムの構成の第二実施形態を示す構成図である。
【００８４】
本実施形態は、コンテンツサーバー２及びライセンスサーバー３はクライアント端末７に複合コンテンツ２１及びライセンス３１を配信する点で第一実施形態と異なる（つまり、図３において、外部環境にクライアント端末７を使用し、ライブラリにＩＯライブラリ４０３を用いる点で異なる。）ため、以下、その相違点についてのみ説明する。
【００８５】
なお、本実施形態では、コンテンツサーバー２は複数の情報コンテンツ２１ｂを配信する形態について説明するが、コンテンツサーバー２が配信する情報コンテンツ２１ｂは第一実施形態で説明したとおり、情報コンテンツ２１ｂの数が複数でなくとも構わない。
【００８６】
[コンテンツサーバーの説明]
本実施形態のコンテンツサーバー２は、無制限に複製できるＤＲＭフリーのデジタルコンテンツ２１ａと、利用するのに利用登録を必要とする情報コンテンツ２１ｂと、が一体化された複合コンテンツ２１を直接、クライアント端末７に配信する。
【００８７】
本実施形態では、コンテンツサーバー２は、複数の情報コンテンツ２１ｂを含む複合コンテンツをクライアント端末７に配信するため、情報コンテンツ２１ｂには、個別ライセンス３１ｂと関連付けられるＫｅｙＩＤ情報と、ルートライセンス３１ａと関連付けられるＫｅｙＳｅｅｄ情報とが書き込まれる（図７参照）。
【００８８】
[ライセンスサーバーの説明]
本実施形態のライセンスサーバー３は、ライセンス３１をクライアント端末７に直接的に配信するものである。
【００８９】
ライセンス３１は、前述した情報コンテンツ２１ｂが複数存在するため、個別ライセンス３１ｂ及びルートライセンス３１ａから構成される（図７参照）。
【００９０】
個別ライセンス３１ｂは、複数の情報コンテンツ２１ｂに対応する数だけ存在し、情報コンテンツ２１ｂと関連付けられるＫｅｙＩＤ情報及び情報コンテンツ２１ｂの有効期限の情報が書き込まれている。
【００９１】
ルートライセンス３１ａは、複数の個別ライセンス３１ｂを管理するものであって、情報コンテンツ２１ｂと関連付けられるＫｅｙＳｅｅｄ情報及び情報コンテンツ２１ｂの有効期限の情報が書き込まれている。
【００９２】
また、本実施形態では、ライセンスサーバー３は、複合コンテンツ２１だけが保存されている携帯端末４が配信サービスに利用登録されたとき、携帯端末４に保存された複合コンテンツ２１に対応するライセンス３１（個別ライセンス３１ｂ及びルートライセンス３１ａ）を直接的に配信するライセンス追加手段を備える。
【００９３】
[携帯端末の説明]
本実施形態の携帯端末４は、後述するクライアント端末７に保存された複合コンテンツ２１及びライセンス３１（個別ライセンス３１ｂ及びルートライセンス３１ａ）のうち、少なくとも複合コンテンツ２１が携帯端末４の記録装置４４に複製されるものである。
【００９４】
[クライアント端末の説明]
本実施形態のクライアント端末７は、その構成を、前述した携帯端末４と複製手段を備える点、複製記録手段を備える点でのみ相違する。従って、以下その相違点のみを説明する。
【００９５】
クライアント端末７は、コンテンツサーバー２から受信した複合コンテンツ２１、及び、ライセンスサーバー３から受信したライセンス３１のうち、少なくとも複合コンテンツ２１を、クライアント端末に接続された一又は複数の携帯端末４に複製する複製手段と、複合コンテンツ２１を複製した携帯端末４を記録して管理する複製記録手段と、を備える。
【００９６】
クライアント端末７と携帯端末４との接続には、例えば、ＵＳＢケーブルによって有線で接続される接続方法や、ネットワーク上で無線によって接続される接続方法がある。
【００９７】
複製記録手段は、クライアント端末７から携帯端末４に少なくとも複合コンテンツ２１が複製されたときに、当該複合コンテンツ２１を複製した携帯端末４の記録や、複製日時、複製した複合コンテンツの内容、当該複合コンテンツ２１の複製回数等の情報を記録するものである。
[コンテンツコントローラーの説明]
本実施形態のコンテンツコントローラー５は、第一実施形態で説明したものと同様のものであるため、説明を省略する。
【００９８】
[第二実施形態のコンテンツ利用システムの動作]
本実施形態の動作について、図８及び図９を参照しながら説明する。
【００９９】
図８は、図７に示すコンテンツ利用システムにおいて、情報コンテンツの利用が可能と判断される場合の携帯端末とコンテンツコントローラーとの通信状況を示す模式図、図９は、図７に示す第二実施形態のコンテンツ利用システムのシステムフローである。
【０１００】
本実施形態の動作は、第一にクライアント端末が複合コンテンツ及びライセンスをコンテンツサーバー及びライセンスサーバーから取得する動作を行い、第二に携帯端末がクライアント端末から複合コンテンツ及びライセンスを取得する動作を行い、第三に携帯端末が情報コンテンツを利用する動作を行う。よって、各動作について、以下説明する。
【０１０１】
・クライアント端末が複合コンテンツ及びライセンスを取得する動作の説明
クライアント端末７に複合コンテンツ２１及びライセンス３１（個別ライセンス３１ｂ及びルートライセンス３１ａ）を保存する。この動作は、第一実施形態の携帯端末４がコンテンツサーバー２及びライセンスサーバー３から複合コンテンツ２１及びライセンス３１を取得する動作と同様の動作を行う。これにより、クライアント端末７には、複合コンテンツ２１とライセンス３１が保存される。
【０１０２】
・携帯端末が複合コンテンツ及びライセンスを取得する動作の説明
携帯端末４が、クライアント端末７及びライセンスサーバー３から、複合コンテンツ２１及びライセンス３１を取得する動作について説明する。
【０１０３】
まず、携帯端末４の所有者は、情報コンテンツ２１ｂの配信サービスの加入を行い、当該携帯端末４において情報コンテンツ２１ｂを利用する利用登録を行う。その後、当該携帯端末４の入力装置４３を用いて情報コンテンツ２１ｂ及びデジタルコンテンツ２１ａを含む複合コンテンツ２１をクライアント端末７から複製する（図９のＳ１１参照）。つまり、ＩＯライブラリ４０３を介してクライアント端末７からデジタルコンテンツ再生アプリケーション４０８に複合コンテンツ２１が送られる（図３参照）。そして、当該複合コンテンツ２１は、デジタルコンテンツ再生アプリケーション４０８からデータ入出力ライブラリ４０５を介して記録装置４４に保存される。
【０１０４】
このとき、クライアント端末７には、当該クライアント端末７が備える複製記録手段によって、当該複合コンテンツ２１を複製した携帯端末４の記録や、複製日時、複製した複合コンテンツの内容、当該複合コンテンツ２１の複製回数等の情報が記録される。
【０１０５】
次に、携帯端末４によってライセンス３１の要求を行う。本実施形態では、複合コンテンツ２１内には、複数の情報コンテンツ２１ｂが存在しており、情報コンテンツ２１ｂには、ＫｅｙＩＤ情報とＫｅｙＳｅｅｄ情報が書き込まれているため、携帯端末４は、ルートライセンス３１ａの有無を確認する（図９のＳ１２参照）。そして、ルートライセンス３１ａを要求する（図９のＳ１３参照）。
【０１０６】
ルートライセンス３１ａは、当該携帯端末４が情報コンテンツ２１ｂの配信サービスに加入している場合に、ライセンスサーバー３から携帯端末４のモデム４２を介して配信される。配信されたルートライセンス３１ａは、通信ライブラリ４０７を介して情報コンテンツ利用アプリケーション４０９に送られ（図３参照）、情報コンテンツ利用アプリケーション４０９からＤＲＭライブラリ４０６を介してルートライセンスファイルが作成されて記録装置４４に保存される（図９のＳ１４参照）。ルートライセンス３１ａと同様に個別ライセンス３１ｂについても個別ライセンスファイルが記録装置４４に保存される（図９のＳ１５参照）。
【０１０７】
ここで、本実施形態では、ルートライセンス３１ａ及び個別ライセンス３１ｂがライセンスサーバー３から配信される場合を説明したが、これと異なり、クライアント端末７からルートライセンス３１ａ及び個別ライセンス３１ｂを複製しても構わない。この場合は、上述した複合コンテンツが複製される場合と同様に、ＩＯライブラリ４０３を介して記録装置４４に保存される。
【０１０８】
・携帯端末による情報コンテンツの利用動作の説明
情報コンテンツの利用動作について説明する。情報コンテンツ２１ｂを利用する場合は、記録装置４４内に有する情報コンテンツ２１ｂとルートライセンス３１ａ及び個別ライセンス３１ｂとがデータ入出力ライブラリ４０５を経由し、ＤＲＭライブラリ４０６に送られ、ＤＲＭライブラリ４０６を介して、情報コンテンツ利用アプリケーション４０９に送信される。
【０１０９】
情報コンテンツ利用アプリケーション４０９では、情報コンテンツ２１ｂ及び個別ライセンス３１ｂのＫｅｙＩＤ情報とともに、情報コンテンツ２１ｂ及びルートライセンス３１ａのＫｅｙＳｅｅｄ情報を参照する。そして、ＫｅｙＩＤ情報の一致、及び、ＫｅｙＳｅｅｄ情報の一致を判断し、ルートライセンスの有効期限及び個別ライセンスの有効期限をそれぞれ判断し、全ての判断が適切であるため、情報コンテンツ２１ｂが利用可能な状態となる。
【０１１０】
その後、情報コンテンツ２１ｂと個別ライセンス３１ｂ及びルートライセンス３１ａが通信ライブラリ４０７を介して近距離無線通信装置４７に送られ、当該情報コンテンツ２１ｂと個別ライセンス３１ｂ及びルートライセンス３１ａが保存された携帯端末４とコンテンツコントローラー５と通信することとなる（図９のＳ１６参照）。
【０１１１】
コンテンツコントローラー５は、近距離無線通信装置４７が備えられているため、この近距離無線通信装置によってコンテンツコントローラー５と携帯端末４とが通信する。コンテンツコントローラー５の判断手段によって、複合コンテンツ２１とライセンス３１（個別ライセンス３１ｂ及びルートライセンス３１ａ）の両方が携帯端末４に保存されていると判断し、通信手段を通じて携帯端末４による情報コンテンツ２１ｂの利用を許可する（図８及び図９のＳ１７でＯＫの場合参照）。
【０１１２】
当該情報コンテンツ２１ｂの利用が許可されると、携帯端末４に備えられた利用記録手段によって、情報コンテンツ２１ｂの利用回数、利用日時等の情報が記録される（図９のＳ１８参照）。
【０１１３】
ところで、携帯端末４が情報コンテンツ２１ｂの配信サービスに加入していない場合や、ライセンス３１（個別ライセンス３１ｂ及びルートライセンス３１ａ）の有効期限が過ぎている場合は、情報コンテンツ利用アプリケーション４０９では、情報コンテンツ２１ｂ及びライセンス３１（個別ライセンス３１ｂ及びルートライセンス３１ａ）内のＫｅｙＩＤ情報及びＫｅｙＳｅｅｄ情報を参照することができないか、情報コンテンツ２１ｂの有効期限が過ぎていると判断される。そのため、近距離無線通信装置４７には、ライセンス３１（個別ライセンス３１ｂ及びルートライセンス３１ａ）は配信されずに、複合コンテンツ２１のみが配信されることとなる。
【０１１４】
この状態で携帯端末４とコンテンツコントローラー５を通信させると、コンテンツコントローラー５は、判断手段により複合コンテンツ２１とライセンス３１（個別ライセンス３１ｂ及びルートライセンス３１ａ）の両方が揃っていないと判断するため（図９のＳ１７でＮＧの場合参照）。、通信手段を通じて携帯端末４による情報コンテンツ２１ｂの利用が許可されないこととなる（図５及び図９のＳ１９参照）。
【０１１５】
以上、説明したとおり、ＤＲＭフリーのデジタルコンテンツ２１ａとともに情報コンテンツ２１ｂを携帯端末４に配信しても、携帯端末４による情報コンテンツ２１ｂの利用を管理することができる。
【０１１６】
[本発明の構成及び効果]
本発明に係るコンテンツ利用システムは、利用及び複製が無制限にできるＤＲＭフリーのデジタルコンテンツ２１ａと利用及び複製が制限された情報コンテンツ２１ｂとが一体化された複合コンテンツ２１を携帯端末４に配信する配信サービスに用いられるコンテンツ利用システムであって、携帯端末４に複合コンテンツ２１を直接又は間接的に配信するコンテンツサーバー２と、情報コンテンツ２１ｂの利用に必要なライセンス３１を、携帯端末４のうち配信サービスに利用登録された携帯端末４ごとに直接又は間接的に配信するライセンスサーバー３と、携帯端末４との通信手段と、複合コンテンツ２１とライセンス３１の両方が揃っているか否かを判断する判断手段と、を有し、当該判断手段により、複合コンテンツ２１とライセンス３１の両方が携帯端末４に揃って保存されていると判断されたとき、通信手段を通じて携帯端末４による情報コンテンツ２１ｂの利用を許可するコンテンツコントローラー５と、を備えることを特徴とする。
【０１１７】
このような特定事項により、複合コンテンツ２１に含まれる情報コンテンツ２１ｂを携帯端末４で利用及び複製するには、複合コンテンツ２１に加えてライセンス３１を必要とし、このライセンス３１を携帯端末４が受信するには、配信サービスの利用登録を必要とする。これにより、情報コンテンツ２１ｂは利用登録を有する携帯端末４のみ利用及び複製可能となり、情報コンテンツ２１ｂの利用を制限することができる。よって、ＤＲＭフリーのデジタルコンテンツ２１ａとともに情報コンテンツ２１ｂを携帯端末４に配信しても、携帯端末４による情報コンテンツ２１ｂの利用を管理することができる。
【０１１８】
上記に係るコンテンツ利用システムであって、通信手段は、携帯端末４及びコンテンツコントローラー５にそれぞれ備えられた近距離無線通信装置４７で構成されたこととする。
【０１１９】
このような特定事項により、携帯端末４とコンテンツコントローラー５とが近距離無線通信装置４７で通信される。つまり、携帯端末４とコンテンツコントローラー５とが非接触で通信するため、情報コンテンツ２１ｂの利用がより簡易にできる。
【０１２０】
上記に係るコンテンツ利用システムであって、携帯端末４には、情報コンテンツ２１ｂの利用状況を記録する利用記録手段を備えることとする。
【０１２１】
このような特定事項により、携帯端末４に保存された情報コンテンツ２１ｂの利用回数等の情報を記録する利用記録手段が携帯端末４に備えられているため、情報コンテンツ２１ｂの利用状況を管理することができる。
【０１２２】
上記に係るコンテンツ利用システムであって、情報コンテンツ２１ｂは、デジタルコンテンツ２１ａに関連するイベントの入場チケット及び前記デジタルコンテンツ２１ａに関連する商品の電子クーポンのうちの両方又はいずれかであることとする。
【０１２３】
このような特定事項により、情報コンテンツ２１ｂは、デジタルコンテンツ２１ａに関連するものであるため、デジタルコンテンツ２１ａの付加価値が上がり、デジタルコンテンツ２１ａの購買意欲を向上させることができる。
【０１２４】
上記に係るコンテンツ利用システムであって、コンテンツサーバー２から複合コンテンツ２１を直接的に受信するとともにライセンスサーバー３からライセンス３１を直接的に受信するクライアント端末７をさらに備え、クライアント端末７は、コンテンツサーバー２から受信した複合コンテンツ２１、及び、ライセンスサーバー３から受信したライセンス３１のうち、少なくとも複合コンテンツ２１を、クライアント端末７に接続された一又は複数の携帯端末４に複製する複製手段を備え、ライセンスサーバー３は、複合コンテンツ２１だけが保存されている携帯端末４が配信サービスに利用登録されたとき、携帯端末４に保存された複合コンテンツ２１に対応するライセンス３１を直接的に配信するライセンス追加手段を備えることとする。
【０１２５】
このような特定事項により、複合コンテンツ２１及びライセンス３１は、直接的にクライアント端末７に配信されることとなる。そして、クライアント端末７は、携帯端末と接続し、少なくとも複合コンテンツ２１を携帯端末４に複製する複製手段を有するため、携帯端末４には、少なくとも複合コンテンツ２１が保存される。さらに、携帯端末４にライセンス３１が保存されていなくとも、その携帯端末４が配信サービスに利用登録されていれば、ライセンスサーバー３のライセンス配信手段によって、携帯端末４にライセンス３１が送信されるため、配信サービスに利用登録がされている携帯端末４のみで情報コンテンツ２１ｂを利用することができる。よって、情報コンテンツ２１ｂの利用を管理することができる。
【０１２６】
上記に係るコンテンツ利用システムであって、クライアント端末７は、複合コンテンツ２１を複製した携帯端末４を記録して管理する複製記録手段を備えることとする。
【０１２７】
このような特定事項により、クライアント端末７が備える複製記録手段によって、複合コンテンツ２１及びライセンス３１を複製した携帯端末４が記録されるため、クライアント端末７によって情報コンテンツ２１ｂの複製状況を管理することができる。
【０１２８】
なお、上記に示した本発明の実施形態はいずれも本発明を具体化した例であって、本発明の技術的範囲を限定する性格のものではない。
【符号の説明】
【０１２９】
２      コンテンツサーバ
２１    複合コンテンツ
２１ａ  デジタルコンテンツ
２１１  音楽データ本体
２１２  メタデータ
２１ｂ  情報コンテンツ
３      ライセンスサーバー
３１    ライセンス
３１ａ  ルートライセンス
３１ｂ  個別ライセンス
４      携帯端末
４１    ＣＰＵ
４２    モデム
４３    入力装置
４４    記録装置
４５    表示装置
４６    メモリ
４７    近距離無線通信装置
４０１  ドライバ
４０２  システム
４０３  ＩＯライブラリ
４０４  表示ライブラリ
４０５  データ入出力ライブラリ
４０６  ＤＲＭライブラリ
４０７  通信ライブラリ
４０８  デジタルコンテンツ再生アプリケーション
４０９  情報コンテンツ利用アプリケーション
５      コンテンツコントローラー
７      クライアント端末
【図１Ａ】
2014120027.tif 000003
【図１Ｂ】
2014120027.tif 000004
【図２】
2014120027.tif 000005
【図３】
2014120027.tif 000006
【図４】
2014120027.tif 000007
【図５】
2014120027.tif 000008
【図６】
2014120027.tif 000009
【図７】
2014120027.tif 000010
【図８】
2014120027.tif 000011
【図９】
2014120027.tif 000012